(57)【要約】地球にやさしい構造体が提供される。その構造体は交替する風力発電機と太陽光発電機により充電される充電式電池を電源とする。【選択図】図１Ｂ
2013525626.tif 000002
【特許請求の範囲】
【請求項１】
少なくとも一人の人を収容するように適応された移動式構造体であって、
太陽光発電機と、
風力発電機と、そして、
前記太陽光発電機と前記風力発電機の内の少なくとも１つと接続する少なくとも１つの直流電気用コンセントと、
を有することを特徴とする移動式構造体。
【請求項２】
前記構造体に連結されるトレーラシャーシをさらに有する、ことを特徴とする請求項１に記載の移動式構造体。
【請求項３】
少なくとも１つの車輪と１つのトレーラヒッチとをさらに有する、ことを特徴とする請求項２に記載の移動式構造体。
【請求項４】
前記太陽光発電機が太陽電池パネルである、ことを特徴とする請求項１に記載の移動式構造体。
【請求項５】
前記太陽光風力発電機は風力タービンを有する、ことを特徴とする請求項１に記載の移動式構造体。
【請求項６】
使用されない電力を収集するため、前記太陽光発電機と前記風力発電機の内の少なくとも１つと電気的に接続する直流電池列を有する、ことを特徴とする請求項１に記載の移動式構造体。
【請求項７】
前記太陽光発電機と前記風力発電機の内の少なくとも１つと接続する公共電源グリッドを有し、それにより使用されない電力が前記公共電源グリッドに供給される、ことを特徴とする請求項１に記載の移動式構造体。
【請求項８】
前記太陽光発電機と前記風力発電機の内の少なくとも１つと接続する、直流電気を交流に変換する変換器と、
前記変換器に接続する交流電気用コンセントと、
をさらに有する、ことを特徴とする請求項１に記載の移動式構造体。
【請求項９】
前記一人の人を収容する適応は、本質的に会議室、教室、事務所、台所、機械室及びトイレからなるグループから選択される前記構造体内の１つの部屋である、ことを特徴とする請求項１に記載の移動式構造体。
【請求項１０】
前記構造体がトレーラである、ことを特徴とする請求項１に記載の移動式構造体。
【請求項１１】
前記構造体が鉄道車両である、ことを特徴とする請求項１に記載の移動式構造体。
【請求項１２】
前記構造体が輸送用コンテナである、ことを特徴とする請求項１に記載の移動式構造体。
【請求項１３】
堆肥化トイレをさらに有する、ことを特徴とする請求項１に記載の移動式構造体。
【請求項１４】
移動式構造体を遠隔地に配送するステップと、
ここに前記構造体は少なくとも一人の人を収容するように適応され、
太陽光発電機を前記構造体に提供するステップと、
風力発電機を前記構造体に提供するステップと、
少なくとも１つの直流電気コンセントを前記太陽光発電機と前記風力発電機の内の少なくとも１つと接続するステップと、
を有することを特徴とする電気を生成する方法。
【請求項１５】
前記太陽光発電機が太陽電池パネルである、ことを特徴とする請求項１４に記載の方法。
【請求項１６】
前記太陽光風力発電機は風力タービンを有する、ことを特徴とする請求項１４に記載の方法。
【請求項１７】
使用されない電力を収集するため、直流電池列を前記太陽光発電機と前記風力発電機の内の少なくとも１つと電気的に接続するステップをさらに有する、ことを特徴とする請求項１４に記載の方法。
【請求項１８】
公共電源グリッドを前記太陽光発電機と前記風力発電機の内の少なくとも１つと接続するステップをさらに有し、それにより使用されない電力が前記公共電源グリッドに供給される、ことを特徴とする請求項１４に記載の方法。
【請求項１９】
直流電気を交流に変換する変換器を前記太陽光発電機と前記風力発電機の内の少なくとも１つと接続するステップと、
前記変換器に交流電気用コンセントを接続するステップと、
をさらに有する、ことを特徴とする請求項１４に記載の方法。
【請求項２０】
少なくとも１つの側壁と、
前記側壁と連結する少なくとも１つの屋根と、
ここで前記側壁と前期屋根の連結により形成される構造体が少なくとも１人の人を収容するように適応され、
前記屋根の上の太陽光発電機と、
少なくとも１つの前記側壁、末端壁、又は前期屋根の外側に脱着可能に取り付けられる風力発電機と、
ここにおいて前記風力発電機は、前記構造体の移動性を向上させるため前記構造体から取り外し可能であり、
前記太陽光発電機と前記風力発電機の内の少なくとも１つと接続する少なくとも１つの直流電気用コンセントと、
を有することを特徴とする移動式構造体。
【発明の詳細な説明】
【技術分野】
【０００１】
（関連発明の参照）
本願は、２０１０年３月１７日付けタイトル「グリーンエネルギーを電源とする地球にやさしいモジュール構造」の米国暫定特許出願６１／３１４，７１６の恩恵を主張し、それはここに参照されその全てが本願に採り入れられる。
【０００２】
本発明は、リサイクルされた、又は環境にやさしい材料から構築されるモジュール構造体又はトレーラで、更に風力発電及び／又は太陽光発電などによる代替電源を電源とするものに関する。
【背景技術】
【０００３】
トレーラ又は移動式構造体は現在特に建設現場又は他の臨時作業環境、教育用途、又は緊急対応組織又は災害復旧組織に関連して頻繁に利用されている。一般的にこのような移動式トレーラは公共及び私的セクターの両方で、遠隔地での少人数用の一時的又は時に恒久的な作業環境を提供している。
【０００４】
遠隔地の作業者にとっての一時的な現場での作業環境を提供するが、現在の殆どのトレーラは大量のエネルギーを使用し、環境に対しネットで負の影響を与えている。このような過剰なエネルギー使用や環境への負の影響は、移動式トレーラの公共電源グリッドからの交流電気の使用に原因が有る。その理由は；（１）公共電源グリッドの電気の殆どは化石燃料の燃焼により生成され、従って、それにより環境を汚染し、（２）殆どの電気は最初は直流で生成されるため、使用にあたって交流への変換が必要となり、その変換が非効率である。
【０００５】
ある場合には移動式構造体に電気を供給するために、公共電源グリッドからのエネルギーの代替としてガスによる発電機が使用可能であるが、それは燃料が高価で、電気への変換効率が悪く（即ち、過剰なエネルギーを消費し）、その結果汚染物質の排出により環境へ負の影響を与える。従って、他の殆どの移動式作業現場構造体に比べてエネルギー消費が少なく、その結果環境への負の影響が少ない移動式構造体へのニーズが存在する。
【０００６】
過剰なエネルギー使用や環境への負の影響に加えて、殆どの移動式トレーラ及び関連の作業現場ユニットは、設営、解体に要する費用や非稼動時間に起因して、意図した目的に全て適合している訳ではない。過剰な費用や非稼動時間は、移動式構造体を公共電源グリッドに接続する必要性から生じる。何故ならば、このような接続は多くの場合、電力会社との交渉や、遠隔地への公共電源グリッド配線の敷設や、許可の取得や、移動式ユニットを公共電源グリッドに接続／切断するための電気技師や他の専門家の雇用を伴うからである。ガス発電機との接続の場合には、発電機用の燃料がすぐになくなり、そして高価なことが多く、特に移動式ユニットが遠隔地の現場に設置され、又は長期間使用された場合にそうである。これらの不十分な点を前提にしても、現存する殆どの移動式トレーラ及び作業場ユニットに照らして、費用と設営／解体時間を低減する移動式作業場構造体に対するニーズが存在する。
【０００７】
最後に米国連邦政府は、建設現場又は他の遠隔地現場の環境影響の少ない構造体の使用に対してＬＥＥＤ減税と呼ばれる減税を提供している。しかし殆どの移動式トレーラは、上記の不具合を前提にすればＬＥＥＤ減税の要件を満たさない。したがって減税を受けられる移動式作業場に対するニーズが存在する。
【０００８】
結論から言うと、公共及び私的セクターで使用され、総コストを下げ、設営時間を短縮し、減税が受けられるだけでなく、通常の移動式構造体に起因する環境影響を低減する、環境影響の少ない、トレーラのような移動式構造体に対するニーズが存在する。
【先行技術文献】
【特許文献】
【０００９】
【特許文献１】米国暫定特許出願６１／３１４，７１６
【発明の概要】
【００１０】
以上の観点から、本願発明の目的は、通常の移動式構造体に照らして、総コストを低減し、設営／解体時間を短縮し、減税をもたらし、その使用による環境影響を低減する、作業場提供用の環境にやさしい移動式構造体を開示することである。上記目的を達成する実施形態として本願は、中でも、環境にやさしい移動式構造体を開示し、それは：シャーシと、前記シャーシに一時的又は恒久的に連接される少なくとも１つの車輪と、前記シャーシに一時的又は恒久的に連接される１つのヒッチと、シャーシに配される少なくとも１つの側壁と、シャーシ上の少なくとも１つの末端壁と、側壁と末端壁を覆う少なくとも１つの屋根と、屋根に設けられた太陽光発電機（即ち、１列のソーラーパネル）と、構造体の移動性を向上させるために移動可能な風力発電機と、不使用電力を蓄えるための太陽光発電機と風力発電機の両方に接続する直流電池列と、太陽光発電機と風力発電機の両方に接続するＤＣ−ＡＣ変換器と、太陽光発電機と風力発電機の両方に接続し、構造体の機器（例えば、電灯、エアコン、冷蔵庫等）が直流を電源と出来るようにするための少なくとも１つの直流コンセントと、ＤＣ−ＡＣ変換器に接続する交流コンセントと、からなる。
【００１１】
電池列の替わりに、構造体は公共電源グリッドに対する入力端を備えてもよい。ＤＣ−ＡＣ変換器の替わりに、構造体は公共電源グリッドからの交流コンセントを備えてもよい。好適には構造体は少なくとも１人の作業場活動を収容するように適応され、従って、１つの会議室と、１つの教室と、１つの事務室と、１つの台所と、１つの設備室と、１つのトイレと、又は既知の目的又はタイプの作業場に適した他の部屋を含む。好適には、上記の移動式ユニットは機器が直流で動くため通常の移動式ユニットと比べエネルギー消費が少ない。上記の移動式構造体は、なかでも、消費されるエネルギーが化石燃料の燃焼でなく太陽光又は風力により得られるため環境への影響が少ない。上記の移動式構造体は、なかでも、構造体が構造体の電気回路に接続する既設の太陽光発電機を特徴として備え、そして風力発電機が容易に取り付けられ、構造体に接続されるように構造体が適応されているため、コストと設営／解体の不稼働時間を減少させる。最後に上記の移動式構造体は、再生可能エネルギーを消費するためＬＥＥＤ減税の要件を満たす。    
【図面の簡単な説明】
【００１２】
これらの目的が達成され、かつ好適な特性が得られる方法は、以下の図を参照してよりよく理解される。
【図１Ａ】本発明の地球にやさしい構造体の１実施形態を示す鳥瞰図である。
【図１Ｂ】図１Ａの正面図である。
【図１Ｃ】図１Ａの背面図である。
【図１Ｄ−Ｆ】図１Ｄは図１Ａの左側面図である。図１Ｅは図１Ａの右側面図である。図１Ｆは図１Ａの平面図である。
【図２Ａ−Ｂ】図２Ａは図１Ａの構造体で使用可能な間取り図の１例である。図２Ｂは図２Ａに類似した間取りの天井レイアウトである。
【図２Ｃ−Ｄ】図２Ｃは図２Ａに類似した間取りの電気レイアウトである。図２Ｄは図２Ａに類似した間取りの機械レイアウトである。
【図３Ａ−Ｄ】図３Ａ−Ｄは図１Ａと２Ａの構造体のトレーラの断面図であり、それぞれ構造体の前方室内、後方室内、右側室内及び左側室内を示す図である。
【図４Ａ−Ｄ】図４Ａ−Ｂは図１Ａ〜３Ｄの構造体のそれぞれ左側壁及び右側壁の描写的断面図である。図４Ｃは図４Ａの断面図のＡ部分の拡大図である。図４Ｄは図４Ａの断面図及び図３Ｂの断面図のＢ部分の拡大図である。
【図４Ｅ−Ｆ】図４Ｅは図４Ａの断面図及び図４Ｂの断面図のＣ部分の拡大図である。  図４Ｆは図４Ａの断面図のＤ部分の拡大図である。
【図５Ａ−Ｃ】図５Ａは図１Ａ〜４Ｈの構造体の、構造体の１側面に沿って窓を横切った断面図である。図５Ｂは図５Ａの断面図のＧ部分の拡大図である。図５Ｃは図５Ａの断面図のＨ部分の拡大図である。
【図６Ａ−Ｂ】図６Ａは図１Ａ〜５Ｃの構造体のフレームの平面図である。図６Ｂは風力発電機の設置を含む、図１Ａ〜６Ａの構造体の右側壁のフレームの平面図である。
【図７Ａ】交替型の風力発電機と太陽光発電機から充電される充電式電池列の概念図である。
【図７Ｂ】交替型の風力発電機と太陽光発電機から充電される充電式電池列の概念図である。
【００１３】
添付の図面は本発明の実施形態の代表的な事例を示し、本発明の範囲を限定するものではない。本発明は当業者が想起する同様に効果的な実施形態を含む。部品の寸法は実寸を反映せず、本発明の原理を示すために誇張されている。同一の参照番号は図が変わっても同一の部品を示す。
【発明を実施するための形態】
【００１４】
図１Ａ〜７Ｂに示されるように、建設事務所、教育施設、緊急対応施設、などの多目的に使用可能な、また他の公的及び私的セクターの一時的な、環境影響の少ない、グリーンエネルギーを使用した構造体に対するニーズに使用可能な、地球にやさしい構造体の１例が提供される。
【００１５】
図１Ａは、本願発明の地球にやさしい構造体１００の後ろから見た鳥瞰図である。図１Ｂ，１Ｃ，１Ｄ、１Ｅ、１Ｆはそれぞれ図１Ａの構造体１００の正面図、後面図、左側面図、右側面図、平面図である。図１Ａ〜１Ｆに示されるように、構造体１００は木のフレームのモジュール構造体１０１であり、トレーラのシャーシ上に載せられ、少なくとも１つの車輪１１１とトレーラヒッチを有する。この図においてモジュール構造体１０１はトレーラの又はシングルワイドに製造された家庭用種のものであり、好適には、少なくとも１つの入口１０２と、少なくとも１つの窓１０３（その内１つは緊急脱出窓（図１Ｄの左側の窓１０３参照））、輸送用ライト（クリアランス灯１０４（図１Ｄ、１Ｅ）、識別灯１０５（図１Ｄ），尾灯１０６（図１Ｄ）、方法指示灯（図１Ｄ）、マーカー灯（図１Ｂ、１Ｃ）を有する。装飾的外観や耐候性の改良のためモジュール構造体１０１の外部構造に壁板１０９を備えてもよい。最後に以下で詳述されるように、モジュールユニット１０１は、モジュールユニット１０１の外側に取り付けられた風力発電機２００及び／又は太陽光発電機３００（例えば、１列の光電池）により発電された電力などの代替エネルギーを電源としてもよい。
【００１６】
本発明のモジュール構造体１００の外形寸法は種々あってもよいが、しかし旅行用宿泊設備に適合したものでなければならない。例えば、図１Ａ〜１Ｆの構造体１００の寸法はトレーラ旅行に適応されている（例えば、長さ４０フィート；幅８フィート６インチ；高さ１４フィート（最高高さ）、９フィート６と１５／１６インチ（最低高さ）。図は構造体１００をトレーラとして描いているが、寸法は他の旅行用宿泊設備に適応されてもよい、例えば中でも、鉄道車両又は輸送用コンテナの形状をしていてもよい。
【００１７】
トレーラシャーシ上のモジュールユニットの構築は公知の技術である。それによれば、本発明の構造体１００はその構築が環境に与える影響を軽減するため、以下の特徴や材料を任意の数有してよい：再生内装用木製クラッド、ネットゼロエネルギー製品；リサイクルされた外装用金属クラッド；吹きつけ用大豆伸縮性断熱材；ＦＳＣ認証木製フレーム；７５０ｋｗｈ太陽光パネルシステム；補助送風システム；アウトバック社の電池充電システム；大豆ベース組成のタイル床；低電圧室内循環ファン；受動的太陽光照明、暖房、冷房；低電圧高効率照明；天然ガス／プロパン発電機。風力発電機２００又は太陽光パネル列３００の設置は、構造体１００の遠隔地又は作業場所への配送の前でも後でもよい。
【００１８】
図１Ａ〜１Ｆのモジュールユニット１０１の構造の事例が図２Ａ〜７Ｂに示される。当業者はこの図をよく理解できよう。
【００１９】
図２Ａは構造体１００で使用される間取り図の１例である．図を参照して、内壁及び外壁は２Ｘ４の木製スタッドで形成される。上述のように構造体１００の目的は少人数の人のために作業環境を一時的又は恒久的に提供することである。従って、図２Ａの間取りは、会議室１２０、事務所１３０、実験室又は設備室１４０を備える。或いは、事務所は備えつけの机１３１を備え、実験室１４０は堆肥化トイレ（屋根から換気される）を備えてもよい。構造体１００の室内に施される特定の床、壁のパネル、及び他の仕上げは、場所及び構造体１００の内部及び周辺で行われる活動に依存し、それは当業者にはすぐに理解されるであろう。
【００２０】
図２Ｂは図２Ａに類似の間取りの構造体の天井レイアウトの１例である。図に示すように、室内天井は２Ｘ４フレームスタッドにより支持され、それは中心から２４インチずつ離れて構造体全体に亘っている。また、天井１５０は少なくとも１つの照明器具１５２、少なくとも１つの排気グリル１５３又は他の換気手段、そして、オプションとして実験室１４０用の排気ファン１５４及び暖房／エアコンユニット１５５を備えてもよい。以下に詳述するように、構造体１００の器具は、照明器具１５２、排気ファン１５４、及び暖房／エアコンユニット１５５を含み、好適には直流で動く。当業者は構造体１００の天井の仕上げ方法について熟知し、かつすぐに理解できるであろう。
【００２１】
図２Ｃは図２Ａと２Ｂに類似した間取り図と天井レイアウト図をそれぞれ有する構造体の電気配線図の１例を示す。図のように、照明器具１５２、暖房／エアコンユニット１５５、および排気ファン１５４が好適には電気回路で接続されている。電気回路は接続箱１５６、配線１５８、電池列１５９（不使用電力用）、及び電気ソケット１５７を含み、それは発電機（例えば、太陽光発電機３００及び／又は風力発電機）に接続されている。上述のように、発電機により発電された電気は好適には直流であり、従って構造体１００の機器は、ＤＣ−ＡＣ変換によるエネルギーロスを無くすため好適には直流が望ましい。そのうえで、交流もあった方がよい。従って構造体は発電機及び電気回路に接続するＤＣ−ＡＣ変換器１６０を備える。さらに構造体は変換器１６０に接続する１つの交流ソケットを備えてもよい。当業者は構造体１００の機器や電池列１５９を発電機２００／３００に接続するのに必要な配線及び回路の種類について熟知している。発電機用の電気配線図の概要は図７Ａと７Ｂに示される。図２Ｄは暖房／エアコンユニット及び換気の機械レイアウト図である。
【００２２】
図３Ａ，３Ｂ、３Ｃ、３Ｄは、それぞれ構造体１００の前面、後面、右側、左側の室内を示す図１Ａの構造体の断面図である。これらの図からも判るように、構造体１００のフレーム４００は好適には：前面フレーム４０１、後面フレーム４０２、及び天井フレーム４０３に沿った２Ｘ４スタッド；及び屋根フレーム４０４に沿った２Ｘ６スタッドからなる。左側面フレーム４２０及び右側フレーム４３０はそれぞれ図４Ａ、４Ｂに示される。フレーム４００はシャーシ１１０及びその床うけばりの上に適切に配置される。当業者は本明細書及び添付図面を参照すれば、フレーム４００が連結され、外部仕上げ（例えば、せん断パネル上のサイディング及び外部シージング）され、そして内部仕上げ（例えば、シートロック、壁面パネル貼り、床面貼り）されるやり方についてすぐに理解するであろう。
【００２３】
図４Ａと４Ｂはそれぞれ構造体１００の左側面フレーム４２０及び右側フレーム４３０の断面図である（図３Ａ，３Ｂ参照）。図４Ａは左側面フレーム４２０のフレームを示し、それは通常窓１０３の両側の２つの２Ｘ６スタッド４２５と、前面フレーム４０１、後面フレーム４０２とジョイントを形成する複数の２Ｘ４ブロッキングスタッド４２６、窓１０３の上下にある４Ｘ４ブロッキング／ヘッダー４２７からなる。図４Ｂは右側面フレーム４３０のフレームを示し、それは通常２Ｘ４スタッド４３８からなる。当業者はこのようなフレームの構築や、接合、仕上げについて熟知している。
【００２４】
図４Ｃは図４Ａ、４Ｂの断面図のＡ部分の拡大図である。図は一般的に前面フレーム４０１、又は後面フレーム４０２とシャーシ１１０及びその床受けばりとの接合を示す。また図にはせん断パネル５００上のサイディング、外部シージング５０１、標準目板５０２、床シージング５０３、室内壁仕上げ材５０４などの外部及び内部仕上げ材が示されている。
【００２５】
図４Ｄは図３Ａ、３ＢのＢ部分及び断面図４Ａ、４ＢのＢ部分の拡大図である。図は一般的に左側面フレーム４２０又は右側フレーム４３０とシャーシ１１０及びその床受けばりとの接合を示す。また図にはせん断パネル上のサイディング５００、外部シージング５０１、標準的目板５０２、床シージング５０３、室内壁仕上げ材５０４、及び構造せん断パネル５０５などの外部及び内部仕上げ材が示されている。
【００２６】
図４Ｅは図２ＡのＣ部分及び断面図及び断面図４Ａ、４ＢのＣ部分の拡大図である。図は一般的に左側面フレーム４２０又は右側フレーム４３０と前面フレーム４０１、又は後面フレーム４０２との接合を示す。また図には外部シージング５０１、室内壁仕上材５０４、及び構造的せん断パネル５０５などの外部及び内部仕上げ材が示されている。
【００２７】
図４Ｆは図４ＡのＤ部分の拡大図である。図は標準的な末端壁フレーム４２０の２Ｘ６スタッド４２５での保持を示す。図に示すように、保持は２Ｘ６スタッド４２５に連接する少なくとも１つのＭＳＴ６０目板４２６とシャーシ１１０により画定される。
【００２８】
図４Ｇは図３Ｃ、３ＤのＥ部分又は断面図４Ａ、４ＢのＥ部分の拡大図である。図は一般的に左側面フレーム４２０又は右側フレーム４３０と屋根フレーム４０４との接合を示す。また図にはせん断パネル上のサイディング５００、外部シージング５０１、屋根止め５１０、室内壁仕上げ材５０４、及び構造的せん断パネル５０５などの外部及び内部仕上げ材が示されている。
【００２９】
図５Ａは構造体１００の窓を横切った断面図である。図５Ｂは断面図５ＡのＧ部分の拡大図である。図５Ｃは断面図５ＡのＨ部分の拡大図である。
【００３０】
図６Ａは屋根フレーム４０４の平面図である。屋根フレーム４０４は適切に構造体の太陽光パネル列３００を支持し、従って屋根フレーム４０４のたる木は屋根フレーム４０４の支持力を増加させるため図のように２重になっている。当業者は太陽光パネル列３００を構造体１００に固定し設置する方法を熟知している。
【００３１】
図６Ｂは風力発電機２００の設置を示す。図に示すように、発電機２００の風力タービン２０１は構造体１００の側面にパイプクランプで挟圧されたパイプの頂点に設置されてもよい。発電機２００との間の配線はパイプ内に敷設されてもよい。当業者は風力発電機２００を構造体１００に固定し設置する方法を熟知している。
【００３２】
図７Ａと７Ｂは風力発電機２００と太陽光パネル列３００（即ち、太陽光発電機）から充電される充電式電池列の概念図である。エネルギー供給は構造体１００が太陽光と風力によるハイブリッドのオフグリッド発電システムであることを許容している。
【００３３】
図７Ａと７Ｂの回路は８個の太陽光パネルの太陽電池（ＰＶ）列３００を示し、それは１個当たり２１６ワット、計１７２８ワットを発電する。  出力は好適には直流で合計電圧は５７．４２Ｖである。この総電圧及びワット数は８個の太陽光パネル３００を太陽光集合ボックス３０１経由で繋げて生成され、１つの直流出力とされ、その後充電制御器３０２に送られてもよい。集合ボックスと充電制御器との間には充電制御器３０２に送られる電流を６０アンペアに制限するため、６０アンペアのフューズが配置されてもよい。電流は１インチの導管に沿って送電されてもよい。充電制御器３０２（またの名を充電レギュレータ、電池レギュレータ）は電池パックに追加され又は引き出される電流のレートを制限する。充電制御器３０２は電池性能又は寿命を低下させ、安全に対するリスクをもたらす過充電を防止し、また過電圧を防止できる。充電制御器３０２はまた、電池寿命を保護するため、電池技術に基づいて電池パックの完全な液上がりを防止し、又は制御された放電を行う。一般的に充電制御器は、電池パックに充電するため太陽電池（ＰＶ）列からの５７．４２Ｖ直流を２４Ｖ直流に降圧させる変圧器であってもよい。
【００３４】
風力発電機２００も示されており、それは電圧２４Ｖで直流４００ワットを発電可能である。風力発電機２００は電流を、１インチ導管を使用して６０アンペアのフューズ経由で電池列に電流を流すことを許容する接続ボックス２０１移行部に出力する。接続ボックス２０１は、システムを逆流し電池又は変換器にダメージを与える恐れのあるサージと電圧降下の両方からシステムを保護することのできる機器、モジュール、及び／又は部品である。接続ボックスはまた、システムを電力グリッドに接続し、又はシステムから電力グリッドに電力を供給するためのプラグ（不図示）を有してもよい。
【００３５】
風力発電機２００は、風力発電機２００から電池列１５９への出力信号経路に接続されるタービン停止スイッチ２０２により制御されてもよい。タービン停止スイッチ２０２は電池列１５９を適切に充電する必要がある場合、風力発電機２００を稼動、停止する。タービン停止スイッチ２０２は電池容量表示ボックスからのフィードによりトリガーされてもよい。電池容量表示器が設定値を下回ると、タービン停止スイッチ２０２をトリガーし、それは風力発電機２００に対するブレーキを開放する。電池列１５９は、合計２４Ｖ直流を生成し直流２５８アンペアを蓄電し、生成するように接続される６個の１２Ｖ直流の電池からなる。電池列１５９は上限３５００ワットの電力まで稼動できる直流及び交流バックパネルに接続されてもよい。バックパネルは１２０Ｖ、６０サイクル、連続交流出力２９．２アンペアの単層交流を生成可能な電力変換器を有してもよい。交流出力は１５アンペアフューズ経由で１５アンペア回路遮断パネル１６１に送られ、そこから構造体全体に交流電力が配電される。
【００３６】
当業者には構造体の構成及び設計は添付の図面から変更可能であることは理解できよう。図示された事例は説明目的のためだけである。図のトレーラは４４フィートＸ１０フィート構造のトレーラであるが、他の寸法に設計されてもよい。この寸法のトレーラに対してパネルに必要な屋根面積は約１５０平方フィートである。屋根はさらに８個の２１６ワットパネルを含むように設計され、約５００ポンドの追加荷重を支持できるように構築される。
【００３７】
稼動状態では、トレーラは太陽光パネルが南を向くように配置されなければならない。調整可能な太陽電池（ＰＶ）ラックシステムが屋根に導入され、それによりトレーラの移動に対しパネルが調節される。風力発電機はトレーラにポール設置システムを使用して搭載される。変換器システムは昇圧変圧器を使用して単層１２０Ｖシステム用に構成されるであろう。システムは最小５ＫＷの発電機を含み電池の充電に使用されてもよい。電力グリッドに接続する場合は、その発電機は代替される。
【００３８】
上記の実施例の記述は説明の目的のためである。それは、すべてを網羅するものではなく本願発明の範囲を限定するものではない。変化形や変更は上記の記述を見ることにより可能であり、また本発明を実施することにより得られる。特許請求の範囲及びその等価物が本発明の範囲を画定する。
【００３９】
これらの特徴は本発明が工業的に使用可能であることを示している。
【００４０】
また。上記の記載や特許請求の範囲に記載された本発明の範囲及び正当な意味付けから逸脱することなく、さらに多くの変更や適応が可能なことは明らかである。
【図６Ａ−Ｂ】
2013525626.tif 000003
【図７Ａ】
2013525626.tif 000004
【図７Ｂ】
2013525626.tif 000005
【図１Ａ】
2013525626.tif 000006
【図１Ｂ】
2013525626.tif 000007
【図１Ｃ】
2013525626.tif 000008
【図１Ｄ−Ｆ】
2013525626.tif 000009
【図２Ａ−Ｂ】
2013525626.tif 000010
【図２Ｃ−Ｄ】
2013525626.tif 000011
【図３Ａ−Ｄ】
2013525626.tif 000012
【図４Ａ−Ｄ】
2013525626.tif 000013
【図４Ｅ−Ｆ】
2013525626.tif 000014
【図５Ａ−Ｃ】
2013525626.tif 000015
【国際調査報告】
2013525626.tif 000016
2013525626.tif 000017